(57)【要約】  本発明は、Ｘ線光子１２、１４を計数する装置１０に関する。装置１０は、光子１２、１４を電荷パルスに変換するよう構成されるセンサ１６と、電荷パルス５１を電気パルス５３に変換するよう構成される処理要素１８と、電気パルス５３を第１の閾値ＴＨ１と比較し、第１の閾値ＴＨ１が越えられる場合イベント５５を出力するよう構成される第１の識別器２０とを有する。第１のゲート要素２４により計数が禁止されるまで、第１のカウンタ２２はこれらのイベント５５を計数する。上記第１の識別器２０が上記イベント５５を出力するとき、第１のゲート要素２４は起動される。測定により又は上記処理要素１８において光子１２、１４を処理するのにかかる時間に関する情報により、光子１２、１４の上記処理が完了したとわかるか又は完了しそうであるとき、このゲート要素は停止される。上記第１のカウンタ２２を起動及び停止することにより、パイルアップイベント、即ち、複数の電気パルス５３のパイルアップが、処理されることができる。本発明は、対応する撮像デバイス及び対応する方法にも関連する。
2010513860.tif 000002
【特許請求の範囲】
【請求項１】
Ｘ線光子、特にコンピュータ断層撮影における光子を計数する装置において、光子を電荷パルスに変換するよう構成されるセンサと、前記電荷パルスを電気パルスに変換するよう構成される処理要素と、前記電気パルスを第１の閾値と比較し、前記第１の閾値が超えられる場合、イベントを出力するよう構成される第１の識別器と、イベントを計数するよう構成される第１のカウンタと、前記第１のカウンタによるイベントの計数を選択的に抑制するよう構成される第１のゲート要素とを有し、前記第１のゲート要素が、前記第１の識別器の出力に接続される起動入力と、前記処理要素の状態に関連付けられる停止入力とを有し、電気パルスのパイルアップを処理するために前記第１のゲート要素が起動されるとき、前記第１のカウンタによる前記計数が禁止される、装置。
【請求項２】
前記停止入力が、クリア識別器の出力に接続され、前記クリア識別器は、前記電気パルスをクリア閾値と比較し、前記電気パルスの電圧が前記クリア閾値より下になる場合、前記停止入力の状態を変化させるよう構成される、請求項１に記載の装置。
【請求項３】
前記クリア閾値が、前記処理要素のベースライン閾値を示す、請求項１又は２に記載の装置。
【請求項４】
少なくとも第２の識別器が、前記第１の識別器に並列に接続され、前記第２の識別器は、イベントを計数するよう構成される第２のカウンタに接続され、前記第２の識別器が、前記電気パルスを第２の閾値と比較し、前記第２の閾値が超えられる場合、イベントを出力するよう構成される、請求項１乃至３のいずれかに記載の装置。
【請求項５】
前記第２のカウンタによるイベントの計数を選択的に抑制するよう構成される第２のゲート要素を更に有し、前記第２のゲート要素が、前記第２の識別器の出力に接続される起動入力と、前記クリア識別器の前記出力に接続される停止入力とを有する、請求項４に記載の装置。
【請求項６】
時間測定要素が、前記第１のゲート要素の出力に接続される、請求項１乃至５のいずれかに記載の装置。
【請求項７】
前記停止入力が、タイマーに接続され、前記タイマーの開始は、前記第１の識別器により引き起こされ、前記タイマーの持続時間が、前記処理要素の安定化にかかる時間にセットされ、前記タイマーの停止は、前記停止入力の前記状態を変化させる、請求項１に記載の装置。
【請求項８】
少なくとも第２の識別器が、前記第１の識別器に並列に接続され、前記第２の識別器は、イベントを計数するよう構成される第２のカウンタに接続され、前記第２の識別器が、前記電気パルスを第２の閾値と比較し、前記第２の閾値が超えられるときイベントを出力するよう構成される、請求項７に記載の装置。
【請求項９】
前記第２のカウンタが、起動されるとき前記第２のカウンタが受信イベントを計数することを禁止するディスエーブル入力を有し、前記ディスエーブル入力は、前記第１のゲート要素の出力に接続される、請求項４又は８に記載の装置。
【請求項１０】
前記第１のカウンタにより計数されないイベントの数を計数するよう構成される少なくとも第３のカウンタを更に有する、請求項１乃至９のいずれかに記載の装置。
【請求項１１】
前記第１のカウンタがディスエーブルにされる間、前記第１の識別器がいつイベントを出力するかを示すよう構成される論理要素に、前記第３のカウンタが接続される、請求項１０に記載の装置。
【請求項１２】
前記処理要素が、少なくともプリアンプ及び少なくともシェーパを有する、請求項１乃至１１のいずれかに記載の装置。
【請求項１３】
前記ゲート要素が、前記起動入力としてのセット入力と前記停止入力としてのリセット入力とを持つフリップフロップである、請求項１乃至１２のいずれかに記載の装置。
【請求項１４】
前記第１のカウンタが、起動されるとき前記第１のカウンタが受信イベントを計数することを禁止するディスエーブル入力を有し、前記ディスエーブル入力は、前記第１のゲート要素の出力に接続される、請求項１乃至１３のいずれかに記載の装置。
【請求項１５】
請求項１乃至１４のいずれかに記載の装置を有する、特に医療用の、Ｘ線光子の計数に基づかれる撮像デバイス。
【請求項１６】
Ｘ線光子、特にコンピュータ断層撮影における光子を計数する方法において、
光子を電荷パルスに変換するステップと、
処理要素を用いて前記電荷パルスを電気パルスへと処理するステップと、
前記電気パルスを閾値と比較するステップと、
前記閾値が超えられる場合、イベントを出力するステップと、
ゲーティングが停止される場合、前記イベントを計数するステップとを有し、
ゲーティングが前記イベントに基づき起動され、ゲーティングは前記処理要素の前記状態に基づき停止され、電気パルスのパイルアップを処理するためゲーティングが起動されるとき、計数が禁止される、方法。
【発明の詳細な説明】
【技術分野】
【０００１】
本発明は、Ｘ線光子、より詳細にはコンピュータ断層撮影における光子を計数する装置、撮像デバイス及び方法に関する。
【背景技術】
【０００２】
対象物の内部の三次元画像を生成することに関して、コンピュータ断層撮影（ＣＴとも呼ばれる）は、一般的に用いられる手段へと進化した。三次元画像は、単一の回転軸の周りで取得される多数の２次元Ｘ線画像に基づき作成される。ＣＴは人体の医学的診断のため最も一般に使用されるが、ＣＴが非破壊物質検査に適用できこともわかった。ＣＴの基本及び応用に関する詳細な情報は、Willi A. Kalenderによる書籍「Computed Tomography」、ISBN 3-89578-216-5において見つけることができる。
【０００３】
将来のＣＴ及びＸ線撮像において重要な革新的な側面の１つは、Ｘ線放射線に露出されるとき、解析される対象物を通過する又は対象物により送信される光子をエネルギー分解された態様で計数することである。（吸収されなかった）送信済み光子数及び光子のエネルギーに基づき、Ｘ線放射線がどのタイプの物質の中を通過したかが結論付けられることができる。特に、これは、人体内の異なる部分、組織及び物質を識別することを可能にする。更により具体的には、吸収係数はエネルギー依存である。従って、衝突する光子のエネルギーを分解することができる検出器を開発することができれば、その依存性を解決することが可能になり、「ビーム硬化」効果を減少させることができる。
【０００４】
光子の検出又は計数が参照される場合、光子がセンサの変換物質と衝突するとき、光子が電荷パルス（時には電流パルスとも呼ばれる）を作成することを理解されたい。この電荷パルスが検出されると、光子の存在が結論付けられる。電荷パルスは、Ｘ線光子がセンサ変換物質と相互作用するとき生成される、より多数の電子正孔ペアから生じる。この電荷パルスの持続時間が、いわゆる電荷収集時間に相当する。
【０００５】
単一の電子正孔ペアの検出は、この出願の焦点ではないが、電荷パルスの処理は、光子を表す電子正孔ペアから生じる。この処理は、「光子を検出する」又は「光子を計数する」という表現で表されることもできる。また、Ｘ線光子の交互作用により生成される電荷パルスに対して、電荷パルスがこのＸ線光子に属するという表現が使用される。同様に、例えば、「センサと衝突する光子により生じた電荷パルスを処理する」は、以下において「光子を処理する」と表されることもある。
【発明の概要】
【発明が解決しようとする課題】
【０００６】
コンピュータ断層撮影用途に対する計数検出器を実現するときの主要な懸念の１つは、入射する光子の非周期的性質を処理することである。考慮されなければならない光子束は、時間において非常に高度にかつランダムに分散される。光子の分布は、ポアソン分布で記述されることができる。
【０００７】
ランダムな分布が原因で、いわゆるパイルアップイベントが起こりがちである。これは、以前の光子が検出器により処理される前に、１つ又は複数の追加的な光子が到達する場合があることを意味する。斯かるパイルアップイベントは、誤った結果をもたらす可能性があり、撮像デバイスのエネルギー分解能を明らかに低下させる可能性がある。
【０００８】
新たなイベントが検出されることができない時間ウィンドウは、新たに衝突する光子が処理されることができないことを意味し、検出器のデッドタイムと呼ばれる。検出器のデッドタイムを正確に考慮すると、パイルアップイベントはより好適に考慮されることができる。しかしながら、イベント／光子が部分的にのみ処理される、及び／又はイベント／光子が無視されるというリスクが常に残る。
【０００９】
パイルアップパルスの除去に対処する方法の１つの概念は、アプリケーションノート「A Practical Guide to High Count Rate Germanium Gamma Spectroscopy」、Canberra Industries, Inc.、第NAN 0013号、8/93、10〜12頁に記載される。
【００１０】
本発明の目的は、改善された計数性能を持ち、Ｘ線光子を計数する、特にコンピュータ断層撮影における光子を計数する装置を提供することにある。本発明の更なる目的は、Ｘ線光子の計数に基づき、特に医療用途における対応する撮像デバイスを与えることにある。本発明の更に別の目的は、Ｘ線光子、特にコンピュータ断層撮影における光子を計数する改善された方法を提供することにある。
【課題を解決するための手段】
【００１１】
本発明の１つの側面によれば、上記目的は、Ｘ線光子、特にコンピュータ断層撮影における光子を計数する装置により実現される。この装置は、光子を電荷パルスに変換するよう構成される（ＣｄＺｎＴｅ、ＣｄＴｅ...といった物質を用いる）センサと、上記電荷パルスを電気パルスに変換するよう構成される処理要素と、上記電気パルスを第１の閾値と比較し、上記第１の閾値が超えられる場合、イベントを出力するよう構成される第１の識別器と、イベントを計数するよう構成される第１のカウンタと、上記第１のカウンタによるイベントの上記計数を選択的に抑制するよう構成される第１のゲート要素とを有し、上記第１のゲート要素が、上記第１の識別器の出力に接続される起動入力と、上記処理要素の状態に関連付けられる停止入力とを有し、電気パルスのパイルアップを処理するために上記第１のゲート要素が起動されるとき、上記第１のカウンタによる上記計数が禁止される。
【００１２】
本発明の別の側面によれば、この目的は、前述された装置を有する、特に医療用の、Ｘ線光子の計数に基づかれる撮像デバイスにより実現される。斯かる撮像デバイスは、特に、Ｘ線装置、コンピュータ断層撮影装置、核医学技術に関するデバイス（例えば陽電子放出断層撮影又は単光子放出コンピュータ断層撮影）又は他の任意の放射線デバイスとして実現される。
【００１３】
本発明の更に別の側面によれば、この目的はＸ線光子、特にコンピュータ断層撮影における光子を計数する方法により実現される。この方法は、
光子を電荷パルスに変換するステップと、
処理要素を用いて上記電荷パルスを電気パルスへと処理するステップと、
上記電気パルスを閾値と比較するステップと
上記閾値が超えられる場合、イベントを出力するステップと、
ゲーティングが停止される場合、上記イベントを計数するステップとを有し、
ゲーティングが上記イベントに基づき起動され、ゲーティングは上記処理要素の状態に基づき停止され、その結果電気パルスのパイルアップを処理するためゲーティングが起動されるとき、計数が禁止される。
【００１４】
従って、本発明はイベントが起こるのを待つ、上記イベントを計数する、及び上記処理要素に関連付けられる特定の状況又は状態が発生するまで、その後追加的なイベントの上記計数を禁止するという概念を利用する。この手法を採用すると、特定のイベントの処理が、後続イベントのエネルギー情報を乱す及び破壊するということが回避されることができる。
【００１５】
上記停止入力が上記処理要素の状態に関連付けられることは、上記停止入力の上記状態を上記処理要素の上記状態に関連させるため、上記処理要素の構成部品に上記停止入力を接続することが可能であることを意味する。しかしながらこれは必須ではない。特に、後述するように、上記処理要素がどのように光子を処理するかに関する一般的な知識から得られる上記処理要素の予想される状態に基づき、上記停止入力をセットすることが可能である。
【００１６】
用語「接続される」に関しては、デザインの１つの選択として直接接続を用いることができるが、電気／電子要素を介して又は電気ネットワークを介して、この接続を実現することも可能である点を理解されたい。従って、「接続される」というときは、ある要素は、以下の意味で理解されることができる。即ち、ある要素の出力状態における変化が別の要素の入力状態における変化をもたらすということである。
【００１７】
好ましい実施形態において、上記停止入力はクリア識別器の出力に接続される。上記クリア識別器は、上記電気パルスをクリア閾値と比較し、上記電気パルスの電圧が上記クリア閾値より下になる場合、上記停止入力の状態を変化させるよう構成される。
【００１８】
本実施形態において、時間にわたり上記電気パルスを監視するために、追加的な識別器、即ち上記クリア識別器が、上記処理要素に、特に上記処理要素の上記出力に接続される。特に、これは、上記クリア識別器が、上記電気パルスが上昇するにつれ増加する電圧を検出し、上記パルスが下降するにつれ減少する電圧を検出するということを意味する。停止入力は、電気的接続により上記処理要素の上記状態に関連付けられる。上記停止入力が上記処理要素の上記出力に、特に上記処理要素がシェーパを有する場合上記シェーパの上記出力に接続されることが好ましい。
【００１９】
上記電気パルスの上記電流状態又は上記電流電圧レベルが上記クリア閾値より下になる場合、クリア識別器は上記停止入力の上記状態を変化させることになる。
【００２０】
ヒステリシスを確立するために２つの閾値を持つ識別器を使用することができるが、１つの閾値を持つ識別器を使用すれば十分である。この場合、上記電気パルスの上記電圧が上記クリア閾値を上回るとき、上記停止入力の上記状態も（例えば０から１へと）変化する。クリア閾値は、光子の処理が完了する又はほぼ完了することを示す電圧レベルにセットされる。
【００２１】
全体として、この実施形態は、以下の機能を与える。センサと衝突する光子が、処理要素により電気パルスに変換される電荷パルスを生成する。電気パルスが第１の識別器の第１の閾値を超える場合、第１の識別器は第１のカウンタにより計数されるイベントを生成する。このイベントは第１のゲート要素の起動入力によっても受信される。このイベントは、続いて、後続のイベントの追加的な計数を禁止する。
【００２２】
ピークに達したあと、イベントの生成をもたらした電気パルスは、下降することになる。第１の識別器により生成されるイベントが終わる（例えば、立ち下がりエッジにより示される）場合であっても、このイベントの終わりは第１のゲート要素の状態には直接影響しないであろう点に留意されたい。なぜなら、第１のゲート要素の停止入力は、処理要素に接続されるからである。
【００２３】
電気パルスが下降するので、処理要素は、光子の処理が完了した又は完了しようとしていることを示す状態を実現する。この状態は、処理要素内で又は処理要素で、好ましくは処理要素の出力で、特定の電圧レベルに達したことにより示される。処理要素により生成される電気パルスの電圧がクリア閾値より下になる場合、第１のゲート要素の禁止効果を解除するため及びイベントの計数を再度可能にするため、停止入力の状態が変化することになる。
【００２４】
この実施形態の利点は、１つのイベントが計数されるとすぐに、追加的な計数が禁止されるという点、及び計数が再度イネーブルにされる前に、電気パルスがクリア閾値より下になることを待つ点にある。第２のイベントが第１のイベントのすぐ後に起こる場合、第２のイベントは計数されないだろう。なぜなら、電気パルスが下降しクリア閾値を下回るよう、十分な時間が経過するまで、電気パルスの電圧はクリア閾値より下になることはないからである。従って、パイルアップイベントを処理するため、実現がより容易でかつ効果的な概念が与えられる。
【００２５】
更に好ましい実施形態においては、クリア閾値は、処理要素のベースライン閾値を示す。
【００２６】
処理要素のベースライン閾値は、処理要素が光子の処理を完了した、又は完了しようとしていることを示す閾値として理解される。言い換えると、ベースライン閾値は、次の入射光子が正確に処理されることを可能にする状態に処理要素があることを示す。特に、処理要素がプリアンプ及びシェーパを有する場合、クリア閾値は、シェーパがパルスの整形を完了した又は完了しようとしていることを示すレベルにセットされることができる。
【００２７】
この態様で、光子の処理が完了される又は完了されようとしているときを決定する効果的な手段が実現される。
【００２８】
更に好ましい実施形態において、少なくとも、第２の識別器が、上記第１の識別器に並列に接続され、上記第２の識別器は、イベントを計数するよう構成される第２のカウンタに接続され、上記第２の識別器が、上記電気パルスを第２の閾値と比較し、上記第２の閾値が超えられる場合、イベントを出力するよう構成される。
【００２９】
この実施形態はそのエネルギーに関する光子の解析を改善する。なぜなら、第２の閾値を第１の閾値とは異なるものにすることで、マルチ閾値検出器が実現されることができるからである。例えば、第１の閾値が第２の閾値より低い場合、より低いエネルギーイベントは第１のカウンタによってのみ計数されることになるが、より高いエネルギーイベントは第１のカウンタ及び第２のカウンタの両方によって計数されることになる。これは、より低いエネルギーイベントがいくつ発生し、及びより高いエネルギーイベントがいくつ発生したかを決定することを可能にする。もちろん、この手法は複数の識別器／カウンタへと拡張されることができる。その結果、２つ以上のエネルギーレベルが識別されることができる。
【００３０】
更に好ましい実施形態において、上記第２のカウンタによるイベントの計数を選択的に抑制するよう構成される第２のゲート要素が与えられ、上記第２のゲート要素が、上記第２の識別器の出力に接続される起動入力と、上記クリア識別器の出力に接続される停止入力とを有する。
【００３１】
これは、パイルアップイベントの処理を第２のカウンタに結合させる比較的簡単な手法を提供する。電気パルスが第２の閾値を超える場合、第２の識別器は第２のカウンタにより計数されるイベントを出力する。この時点で、更なるイベントが第２のカウンタにより計数されることを禁止するため第２のゲート要素が起動される。第２のゲート要素は、第１のゲート要素と実質的に同時に、即ち電気パルスの電圧がクリア識別器のクリア閾値より下になるとき、ディスエーブルにされる。
【００３２】
もちろん、第２のゲート要素のため分離したクリア識別器を与えることも可能である点に留意されたい。しかしながら、第１のゲート要素及び第２のゲート要素両方をディスエーブルにする１つのクリア識別器を用いることで、第１のカウンタ及び第２のカウンタによる計数が、実際的に同時に再度イネーブルにされることができる。
【００３３】
更なる好ましい実施形態においては、時間測定要素が、第１のゲート要素の出力に接続される。
【００３４】
これはデッドタイム効果を効率的に除去するため、ある程度までパイルアップイベントに対処するため、及び観察されたイベントの真のレートをより好適に決定することができるようにするため、実際のデッドタイム及び／又は平均デッドタイムを測定することを可能にする。本出願の冒頭の部分にて説明したように、デッドタイムを処理することは困難である。なぜなら、デッドタイムはイベントの頻度(height)に依存する可能性があるからである。更に、デッドタイムは、拡張可能な（麻痺状態となる(paralyzable)）デッドタイムをもたらすポアソン統計量により影響をうけるランダムな態様で、パイルアップイベントによって拡張されることができる。
【００３５】
カウンタがどれくらいの時間の間ディスエーブル状態だったか測定することにより、実際のデッドタイムが決定されることができる。また、２つ又はこれ以上の測定されたデッドタイムを考慮することにより、平均デッドタイムが得られることができる。
【００３６】
更なる好ましい実施形態においては、上記停止入力が、タイマーに接続され、上記タイマーの開始は、上記第１の識別器により起動され、上記タイマーの持続時間が、上記処理要素の安定化にかかる時間にセットされ、上記タイマーの停止は、上記停止入力の状態を変化させる。
【００３７】
この実施形態は、処理要素及び停止入力の間の実際の接続を必要とすることなく、複数の電気パルスのパイルアップを処理する有効で更に簡単な手段を与える。この実施形態の機能は、以下の通りである。
【００３８】
イベントが第１の識別器により生成されるとき、このイベントは第１のカウンタにより計数され、第１のゲート要素が起動される。これにより、第１のカウンタによる追加的な計数が禁止される。タイマーが開始され、所定の時間稼動する。この所定の時間は、セトリング時間と呼ばれる。これは、高い統計信頼度で、光子の処理が完了する又は完了に近いとされる時間である。セトリング時間は、単一の光子の処理がどのくらいかかるかを示し、数学的計算及び／又は経験的測定に基づき好適に決定されることができる。従って、タイマーが停止するときは、処理要素の状態が直接測定されない場合であっても、高度な統計信頼度をもって、処理要素が次の光子を処理するために準備が整っていると想定されることができる。タイマーが停止するとき、第１のゲート要素を停止させるため及びイベントの計数を再度イネーブルにするため、停止入力の状態が変化される。
【００３９】
第２のイベントが第１のイベントのすぐ後に続く場合、即ち、タイマーがまだ動いている間第２のイベントが続く場合、タイマーが再開され、第２のイベントは計数されない。所定の持続時間の間、更なるイベントが何ら起こらない場合にだけ、タイマーは停止状態に達し、第１のゲート要素が停止されることになる。
【００４０】
上述したように、タイマーを用いるとき、マルチ閾値検出器の概念が適用されることもできる点に留意されたい。
【００４１】
更なる好ましい実施形態においては、上記第２のカウンタが、起動されるとき上記第２のカウンタが受信イベントを計数することを禁止するディスエーブル入力を有し、上記ディスエーブル入力は、上記第１のゲート要素の出力に接続される。
【００４２】
カウンタがイベントを計数しないようにする多数の異なる態様が存在する。例えば、スイッチング要素、特に半導体スイッチング要素を用いて、イベントがカウンタに達することが防止されることができる。しかしながら、スイッチング要素の使用に関連する欠点が存在する。従って、起動されるときカウンタに到達するイベントを計数しないようにするディスエーブル入力を上記カウンタに提供することが提案される。これは、追加的なスイッチング要素を必要とすることなく計数のオンオフを迅速に切り替えることを可能にする。
【００４３】
第１のゲート要素の出力と第２のカウンタのディスエーブル入力との間に遅延要素を与えることが有利である。電気パルスが増加する間、第１の識別器の第１の閾値が超えられ、これにより、第１のゲート要素が起動され、続いて、パルスが第２の閾値を超える前であっても、この第１のゲート要素が第２のカウンタをディスエーブルにすることができ、それにより第２のカウンタがこのイベントを計数することが禁止される、という状況が起こりうる。遅延要素は、電気パルスが第２の閾値も超えるかどうかを判断するのを待つため、第１の閾値が超えられた後第２のカウンタがディスエーブルにされる前に、充分な時間が与えられることを確実にする。
【００４４】
本発明の更なる好ましい実施形態において、少なくとも第３のカウンタが与えられる。これは、上記第１のカウンタにより計数されないイベントの数を計数するよう構成される。
【００４５】
これは入射する光子の解析を改善する。なぜなら、どれくらい多くのイベントが閾値を上回るかが計数され、第１のカウンタがディスエーブルであることが原因でどれくらい多くのイベントが計数されなかったかが計数されるからである。もちろん、必要であれば、この概念は、複数のカウンタにまで拡張されることができる。
【００４６】
更なる好ましい実施形態において、上記第１のカウンタがディスエーブルにされる間、上記第１の識別器がいつイベントを出力するかを示すよう構成される論理要素に、上記第３のカウンタが接続される。
【００４７】
これは、第１のカウンタにより計数されなかったイベントを計数する、非常に単純であるが更に効率的な手段を与える。特に、ＡＮＤ要素が使用されることができる。これは、第１のポートで第１の識別器の出力に接続され、第２のポートで第１のゲート要素の出力に接続される。すると、イベントが第１の識別器により生成される場合、かつ同時に第１のゲート要素が起動される場合、このイベントが第３のカウンタにより計数されることになる。
【００４８】
発明の更なる好ましい実施形態において、上記処理要素は、少なくともプリアンプ及び少なくともシェーパを有する。
【００４９】
これは、処理要素を実現する有効な手段を与える。代替的に、処理要素が整形プリアンプを有することも可能である。
【００５０】
更なる好ましい実施形態において、ゲート要素は、起動入力としてのセット入力及び停止入力としてのリセット入力を持つフリップフロップである。
【００５１】
フリップフロップは、ゲート要素を提供するコスト効率の良い手段である。
【００５２】
更なる好ましい実施形態において、上記第１のカウンタが、起動されるとき上記第１のカウンタが受信イベントを計数することを禁止するディスエーブル入力を有し、上記ディスエーブル入力が、上記第１のゲート要素の出力に電気的に接続される。
【００５３】
ディスエーブル入力を与えることにより、カウンタの計数は、追加的なスイッチング要素を与える必要なしに、迅速に及び都合よくオン及びオフに切り替えられることができる。
【図面の簡単な説明】
【００５４】
【図１】撮像デバイスにおける光子を計数する装置を示す図である。
【図２】コンピュータ断層撮影装置における光子を計数する方法を示す図である。
【図３】本発明による装置の第１の実施形態を示す図である。
【図４】本発明に基づき、パルスのパイルアップがどのように処理されるかを示す図である。
【図５】本発明による装置の第２の実施形態を示す図である。
【図６】本発明による装置の第３の実施形態を示す図である。
【図７】本発明による装置の第４の実施形態を示す図である。
【図８】本発明による装置の第５の実施形態を示す図である。
【図９】本発明による装置の第６の実施形態を示す図である。
【発明を実施するための形態】
【００５５】
本発明のこれら及び他の側面が、本書に後述される実施形態から明らかとなり、これらの実施形態を参照して説明されることになる。
【００５６】
前述の特徴及び更に以下に説明されることになる特徴は、開示される個別の組合せにおいてだけでなく、本発明の範囲を逸脱することなく、他の組合せにおいて、又は独立した特徴として使用されることができる点を理解されたい。
【００５７】
本発明の実施形態が、図面に示され、図面を参照して以下の説明において更に詳細に説明されるだろう。
【００５８】
図１は、Ｘ線光子１２、１４を計数する装置１０のハイレベルの概要を示す。装置１０は、撮像デバイス１１において、特にコンピュータ断層撮影装置において実現される。
【００５９】
装置１０は、光子１２、１４を電荷パルスに変換するよう構成されるセンサ１６と、電荷パルスを電気パルスに変換するよう構成される処理要素１８と、電気パルスを第１の閾値ＴＨ１と比較し、第１の閾値ＴＨ１が越えられる場合イベントを出力するよう構成される第１の識別器２０とを有する。装置１０は、イベントを計数するよう構成される第１のカウンタ２２と、第１のカウンタ２２によるイベントの計数を選択的に抑制するよう構成される第１のゲート要素２４とを更に有する。
【００６０】
第１のゲート要素２４は、第１の識別器２０の出力２８に接続される起動入力２６と、処理要素１８の状態に関連付けられる停止入力３０とを有する。その結果、複数の電気パルスのパイルアップを処理するため第１のゲート要素２４が起動されるとき、第１のカウンタ２２による計数が禁止される。装置１０のより詳細な説明は、以下の説明により与えられることになる。
【００６１】
図２は、本発明に基づき、Ｘ線光子１２、１４、特にコンピュータ断層撮影における光子１２、１４を計数するときの基本的なステップを示す。
【００６２】
ステップ３２において、センサ１６と衝突する光子１２、１４が、電荷パルスに変換される。その後、ステップ３４において、例えば処理要素１８により、電荷パルスが、電気パルスへと処理される。
【００６３】
ステップ３６において、電気パルスは閾値と比較される。例えば、第１の識別器２０の第１の閾値ＴＨ１と比較される。この比較に基づき、閾値が越えられる場合、イベントが出力される（ステップ３８）。
【００６４】
ゲーティングが停止状態にある場合、例えば第１のカウンタ２２を用いて、イベントが計数される（ステップ４０）。ゲーティングは、イベントに基づき起動され、処理要素１８の状態に基づき停止される。これは、複数の電気パルスのパイルアップを処理するためゲーティングが起動されるとき、計数を禁止することを可能にする。
【００６５】
図３は、本発明による装置１０の第１の実施形態を示す。
【００６６】
センサ１６は、容量Ｃｓと並列な、電流Ｉｓを与える電流源として象徴化される。処理要素１８は、センサ１６から電荷パルス５１を受信するプリアンプ５０と、その後続のシェーパ５２とにより実現される。プリアンプ５０は基本的に、センサ１６から来る電荷パルス５１のための積分器として機能するが、シェーパ５２は、立ち上がりエッジ及び立ち下がりエッジを持つ電気パルス５３を与える。処理要素１８の出力２８は、この場合、シェーパ５２の出力に対応する。
【００６７】
第１の識別器２０は、処理要素１８の出力２８に接続され、第１の識別器２０の出力５４は、第１のカウンタ２２の入力に接続される。
【００６８】
第１のゲート要素２４は、起動入力２６としてのセット入力及び停止入力３０としてのリセット入力を持つフリップフロップとして実現される。
【００６９】
第１のゲート要素２４は、第１のカウンタ２２に接続される出力Ｑを更に有する。本実施形態において、第１のカウンタ２２は、第１のゲート要素２４から来る信号をネゲートする小円により示されるディスエーブル入力５８を持つ。これは、第１のゲート要素２４がＨＩＧＨ信号、例えば「１」を与える場合、第１のカウンタ２２の計数が禁止されることを意味する。逆も成立し、第１のゲート要素２４がＬＯＷ信号、例えば「０」を与えるとき、第１のカウンタ２２は、入力イベント５５を計数する。
【００７０】
図示されるように、第１の識別器２０の出力５４は、第１のゲート要素２４の起動入力２６に接続される。従って、第１の識別器２０によりイベント５５が与えられる場合、特に、第１の識別器２０により立ち上がりエッジが与えられる場合、イベント５５は、起動入力２６によっても受信され、出力Ｑにより示される第１のゲート要素の状態が「１」にセットされる。実際に「１」又は「０」を与えることが必要とされるわけではない点に留意されたい。識別可能な２つの電圧レベルを使用すれば十分である。その場合、１つの電圧レベルは、計数が禁止されることを示し、他の電圧レベルは、計数が実行されることを示す。
【００７１】
第１のゲート要素２４の停止入力３０は、クリア識別器６０のネゲートされた出力に接続される。この識別器は、処理要素１８の出力２８に存在する電気パルス５３をクリア閾値ＣＴＨと比較する。これは、電気パルス５３が、クリア閾値ＣＴＨを超える場合、クリア識別器６０によって「１」が与えられることを意味する。しかしながら、ネゲート要素が原因で、停止入力３０は「０」を受信する。従って、何のリセットも実行されず、第１のゲート要素２４の状態は変化しない。電気パルス５３が、クリア閾値ＣＴＨより下になる場合、停止入力３０は「１」を受信し、第１のゲート要素２４の状態はリセットされる。この場合、出力Ｑは「０」になる。
【００７２】
要約すると、電気パルス５３が第１の閾値ＴＨ１を超える場合、第１の識別器２０はイベント５５を生成する。このイベントが、第１のカウンタ２２により計数される。同時に、イベント５５は、第１のゲート要素２４の起動入力２６で受信される。出力Ｑは「１」にセットされ、この出力Ｑは、第１のカウンタ２２のディスエーブル入力５８により受信される。電気パルス５３がクリア識別器６０のクリア閾値ＣＴＨより下になるときのみ、第１のゲート要素２４の停止入力３０が起動され、第１のゲート要素２４の出力Ｑが「０」にセットされる。「０」へのセットにより、第１のカウンタ２２が再度イネーブル状態にされる。
【００７３】
図４に、装置１０の有益な効果が示される。図４では、時間軸ｔ及び電圧軸Ｖに沿って３つの電気パルス５３−１、５３−２、５３−３の発生が示される。それらの個別のピークＰ１、Ｐ２、Ｐ３から分かるように、電気パルス５３−１、５３−２、５３−３は、均一な間隔で発生するわけではない。特に、ピークＰ１、Ｐ２は、パイルアップ状況を表すと想定される。ダイアグラムの下にバーが示される。これは、第１のカウンタ２２の電流状態を示す。この場合、「ＯＮ」は第１のカウンタ２２がイベント５５を計数することを意味し、「ＯＦＦ」は第１のカウンタ２２がイベント５５を計数しないことを意味する。
【００７４】
最初、第１の電気パルス５３−１は、第１の閾値ＴＨ１及びクリア閾値ＣＴＨ両方を下回る状態にある。第１のカウンタ２２は、ＯＮである。電気パルス５３−１が上昇するにつれ、それは第１の閾値ＴＨ１を超える。それにより、第１の識別器２０はイベント５５を出力する。このイベントは、第１のカウンタ２２により計数される。第１のゲート要素２４がイネーブルにされ、第１のカウンタ２２はＯＦＦにされる。
【００７５】
Ｐ１でピークに達した後、電気パルス５３−１は下降し、第１の閾値ＴＨ１より下になる。しかしながら、まだクリア閾値ＣＴＨより上にある。この状況は、第１のゲート要素２４の状態又は第１のカウンタ２２の状態における変化をもたらすものではなない点に留意されたい。
【００７６】
第１の電気パルス５３−１がクリア閾値ＣＴＨより下になる前に、第２の電気パルス５３−２が入り、第１の閾値ＴＨ１を超えて上昇する。この場合も、第１の識別器２０が、イベント５５を生成する。しかしながら、第１のカウンタ２２がＯＦＦであるので、このイベント５５は計数されない。
【００７７】
Ｐ２でピークに達した後、第２の電気パルス５３−２は下降し、第１の閾値ＴＨ１を下回り、その後クリア閾値ＣＴＨも下回る。この時点で、第１のゲート要素２４がリセットされ、これにより、第１のカウンタ２２がＯＮになる。
【００７８】
第３の電気パルス５３−３が入ると、このパルスは第１の閾値ＴＨ１を超えて上昇し、追加的なイベント５５の生成がもたらされる。第１のカウンタ２２がＯＮであるので、このイベント５５は計数される。同時に、電気パルス５３−３がクリア閾値ＣＴＨを下回るまで、第１のカウンタ２２は再度ＯＦＦにされる。
【００７９】
見て分かるように、提示された装置１０は、パイルアップイベントを処理する非常に有効な手段を与える。
【００８０】
図５は、入射する光子１２、１４のエネルギーレベルを識別するため複数の閾値を使用する、本発明による装置１０の第２の実施形態を示す。
【００８１】
図示される装置１０は、図３に記載の装置１０に基づかれる。その結果、以下、相違点だけが説明されることになる。
【００８２】
装置１０は、第１の識別器２０に並列に接続される第２の識別器７０を有する。第２の識別器７０は、イベントを計数するよう構成される第２のカウンタ７２に接続される。更に、第２の識別器７０は、電気パルス５３を第２の閾値ＴＨ２と比較し、第２の閾値ＴＨ２が超えられる場合、イベントを出力するよう構成される。
【００８３】
第３の閾値ＴＨ３を持つ第３の識別器７４により示されるように、この概念は複数の識別器及び複数のカウンタにまで拡張されることができる。しかしながら、明確さのため、第２の識別器７０の導入に関して必要な基本事項だけが説明される。
【００８４】
この装置は、第２のカウンタ７２によるイベント５５の計数を選択的に抑制するよう構成される第２のゲート要素７６を更に有する。第１のゲート要素２４を参照してわかるように、第２のゲート要素７６も起動入力２６'及び停止入力３０'を有する。起動入力２６'が、第２の識別器７０の出力に接続され、停止入力３０'は、クリア識別器６０のネゲートされた出力に接続される。
【００８５】
電気パルス５３が第１の閾値ＴＨ１を超えるとき、第１のカウンタ２２はディスエーブルにされ、電気パルス５３が第２の閾値ＴＨ２を超えるとき、第２のカウンタ７２はディスエーブルにされる。電気パルス５３がクリア閾値ＣＴＨより下になるとき、両方のカウンタ２２、７２は再びイネーブルにされる。
【００８６】
好ましくは、第２の閾値ＴＨ２は、第１の閾値ＴＨ１より高くセットされる。すると、第１のカウンタ２２は、第１の閾値ＴＨ１を超えるすべてのイベントを受信することになる。一方、第２のカウンタ７２は、第１の閾値ＴＨ１及び第２の閾値ＴＨ２を超えるイベントだけを受信する。第２のカウンタ７２の値を第１のカウンタ２２の値から減算することにより、どれくらい多くの電気パルス５３が第２の閾値ＴＨ２でなく第１の閾値ＴＨ１を超えたかが計算されることができる。これにより、光子１２、１４のエネルギーレベルに基づく区別が実現されることができる。
【００８７】
図６は、本発明による装置１０の第３の実施形態を示す。それは、図５に示される実施形態に類似する。しかしながら、第２のカウンタ７２のゲーティングの概念が変更されている。この違いについて更に詳細に説明されるが、他の全ての詳細に関しては、図５を参照されたい。
【００８８】
図示されるように、第２のカウンタ７２のディスエーブル入力５８'が、第１のゲート要素２４の出力Ｑに遅延要素９０を介して接続される。これは、第１のカウンタ２２をディスエーブルにする第１のゲート要素２４から来る信号が、遅延要素９０により特定される特定の持続時間分遅延されて第２のカウンタ７２に送信されることを意味する。
【００８９】
遅延要素９０は必須でないが、好ましくは、ある状況を回避するために使用される。その状況とは、電気パルス５３が閾値ＴＨ２を超えて上昇する前に、電気パルス５３が第１の閾値ＴＨ１を超えることが原因で、第２のカウンタ７２がディスエーブルにされ、これにより、第２のカウンタ７２がカウントを逃す状況である。
【００９０】
図７は、本発明による装置１０の第４の実施形態を示す。開示される装置１０は、図３に示される装置１０に基づかれる。従って、図３でされた説明を参照されたい。
【００９１】
この第４の実施形態は、組合せにおいて又は互いに分離して使用されることができる２つの追加的な特徴を提供する。
【００９２】
第１の追加的な特徴は、第１のゲート要素２４の出力Ｑに接続される時間測定要素８０により示される。時間測定要素８０は、第１のカウンタ２２がディスエーブルである持続時間を測定する。これは装置１０の実際のデッドタイムを計算することを可能にし、測定された少なくとも２つのデッドタイムを考慮するとき、平均デッドタイムが計算されることができる。デッドタイムに関する良好な推定を行うことは、得られたデータのより良好な解釈を可能にする。
【００９３】
第２の追加的な特徴は、論理要素８２に基づかれる。ここではＡＮＤ要素である。この論理要素は、第１のカウンタ２２がディスエーブルにされる間、第１の識別器２０がイベント５５を出力するときを示すよう構成される。これは、論理要素８２の１つの入力が第１の識別器２０の出力５４に接続され、他の入力が第１のゲート要素２４の出力Ｑに接続されることにより実現される。
【００９４】
論理要素８２の出力は第３のカウンタ８４に供給される。これにより、第３のカウンタは、第１の識別器２０により生成されたが、第１のカウンタ２２により計数されなかったイベント５５を計数する。これは、第１のカウンタ２２に関して起こったパイルアップイベントを計数することを可能にする。
【００９５】
図８は、本発明による装置１０の第５の実施形態を示す。この実施形態は、図３に示される装置１０に類似する。しかしながら、第１のカウンタ２２を再びイネーブルするための異なる概念が使用される。本実施形態において、停止入力３０は、電気的接続を用いるのではなく、処理要素１８が光子１２、１４を処理するのにどれくらいの時間を必要とするかに関する情報に基づき、処理要素１８の状態に関連付けられる。
【００９６】
前述の実施例においてと同様、第１の識別器２０がイベント５５を生成する場合、第１のカウンタ２２は第１のゲート要素２４によりディスエーブルにされる。しかしながら、前述の実施形態とは異なり、ここでは、イベント５５の発生が、タイマー８６の開始状態も引き起こす。
【００９７】
停止状態が発生する前に、タイマー８６は特定の持続時間を待つよう構成され、第１のゲート要素２４の停止入力３０にＬＯＷ信号又は「０」が与えられる。タイマー８６においてセットされる持続時間は、イベント５５の開始が検出されたあと、処理要素１８が受信光子１２、１４を処理するのに必要な予想時間に対応する。
【００９８】
言い換えると、処理要素１８による光子１２、１４の処理がイベント５５の開始により示されるとき、第１のカウンタ２２はディスエーブルにされ、光子１２、１４を処理するのに必要であると予想される持続時間が経過したときのみ、再度イネーブルにされる。
【００９９】
光子１２、１４の処理はよく知られており、かつ処理に関連付けられる時間が理論的又は実際的に決定されることができるので、直接接続を必要とすることなく、処理要素１８の状態と停止入力とを非常に良好に関連付けることができる。
【０１００】
また、この実施形態によれば、イベント（又は電気パルス）のパイルアップを処理することが解決される。第１の光子１２の後すぐに第２の光子１４が追従する場合、即ち、持続時間が経過する前である場合、第２の光子１４に関連付けられる新たなイベント５５が、タイマー８６を再開させることになり、この場合このタイマーは、フルタイムの持続時間で稼動するであろう。新たなイベント５５が生成される前に持続時間が通過するときにだけ、タイマー８６は第１のゲート要素２４をリセットするだろう。このリセットにより、第１のカウンタ２２が再度イネーブルにされる。
【０１０１】
処理要素１８の状態と停止入力３０との関連付けが電気的接続により実現されない場合であっても、この実施形態の結果として生じる効果は前述の実施形態に匹敵する点に留意されたい。
【０１０２】
図９は、本発明による装置１０の第６の実施形態を示す。この実施形態は図８の実施形態に基づかれる。従って、基本的な機能の説明に関しては図８を参照されたい。更に、この実施形態は、図６の実施形態を参照して詳細に説明された第２の識別器７０及び第２のカウンタ７２を使用する。従って、図６の説明を追加的に参照されたい。
【０１０３】
図９の実施形態において、第２のカウンタ７２は、特定のディスエーブル入力なしの単純な標準化されたカウンタであると想定される。しかしながら、ディスエーブル入力の効果は、ここではＡＮＤ要素である論理要素８８を第２のカウンタ７２の前に配置することにより実現されることができる。この場合、遅延要素９０により遅延される第１のゲート要素２４の出力Ｑが論理要素８８に対してＨＩＧＨ信号を送らない限り、論理要素８８は、イベント５５'を第２のカウンタ７２へと通過させるよう構成される。本実施形態において、遅延要素９０により課される遅延は、電荷収集時間にセットされる。
【０１０４】
これは、電気パルス５３が第１の閾値ＴＨ１を越えて上昇する場合、第１の識別器２０が、第１のゲート要素２４を起動させるイベント５５を出力することを意味する。これにより、所与のイベントが計数された後、第１のカウンタ２２がディスエーブルにされる。同時に、イベント５５は、タイマー８６の開始を引き起こす。
【０１０５】
第１のゲート要素２４の出力Ｑからの信号は、論理要素８８に送られる。しかしながら、遅延要素９０により遅延される。この時間期間、即ち、第１のゲート要素２４からの信号が実際に論理要素８８に到達する前までの期間が、電気パルス５３が第２の閾値ＴＨ２も超えるかどうかを見極めるため、従って、電気パルス５３が第２のカウンタ７２により計数されなければならないかを見極めるために適用される。これは、電気パルス５３が実際に第２の閾値ＴＨ２を超える場合、対応するイベント５５'が第２のカウンタ７２により計数され、その後、第１のゲーティング要素２４からの信号が、論理要素８８の１つの入力を「０」にセットし、これにより、第２の識別器７０からのイベント５５'が、第２のカウンタ７２に到達することが禁止されることを意味する。
【０１０６】
この実施形態から分かるように、カウンタ及び論理要素の組合せは、カウンタを特定のディスエーブル入力と交換するために使用されることができる。
【０１０７】
本発明が図面及び前述の説明において詳細に図示され及び説明されたが、斯かる図示及び説明は、説明的又は例示的であると考えられ、本発明を限定するものではない。本発明は、開示された実施形態に限定されるものではない。
【０１０８】
図面、開示及び添付の特許請求の範囲の研究から、開示された実施形態に対する他の変形が、請求項に記載された発明を実施する当業者により理解され及び遂行されることができる。請求項において、単語「有する」は他の要素又はステップを除外するものではなく、不定冠詞「ａ」又は「ａｎ」は複数性を除外するものではない。「左」、「右」等の用語は、発明の容易な理解のためにのみ使用され、本発明の範囲を限定するものではない。
【０１０９】
本発明の理解を容易にするために、複数の要素が分離して説明され示されたが、電気／電子要素を一体化することができることから、２つ又はこれ以上の要素が、これらの２つ又はこれ以上の要素の機能／特徴を有する１つの要素に結合されることもできる点を理解されたい。
【０１１０】
特定の手段が相互に異なる従属項に記載されるという単なる事実は、これらの手段の組み合わせが有利に使用されることができないことを示すものではない。請求項における参照符号は、発明の範囲を限定するものとして解釈されるべきではない。
【図１】
2010513860.tif 000003
【図２】
2010513860.tif 000004
【図３】
2010513860.tif 000005
【図４】
2010513860.tif 000006
【図５】
2010513860.tif 000007
【図６】
2010513860.tif 000008
【図７】
2010513860.tif 000009
【図８】
2010513860.tif 000010
【図９】
2010513860.tif 000011
【国際調査報告】
2010513860.tif 000012
2010513860.tif 000013
2010513860.tif 000014
2010513860.tif 000015